(57)【要約】  ビーム選択方法、移動局及び基地局が開示される。本発明の一態様に係る移動局は、第１の数量の参照信号リソースを指示する情報を受信し、前記情報に基づいて、前記第１の数量の参照信号リソースにおける参照信号に対応するビームを受信する受信部と、受信したビームに基づいてチャネル推定を行う選択部と、を含む。移動局は、基地局が通知する参照信号リソースにおける参照信号に基づいてチャネル推定とフィードバックを行うことで、移動局のワークロードとシグナリングオーバーヘッドを低減する。
2016163542.tif 000002
【特許請求の範囲】
【請求項１】
第１の数量の参照信号リソースを指示する情報を受信し、前記情報に基づいて、前記第１の数量の参照信号リソースにおける参照信号に対応するビームを受信する受信部と、
受信したビームに基づいてチャネル推定を行う選択部と、を含む移動局。
【請求項２】
前記情報は、前記第１の数量の参照信号リソースのインデックスである請求項１に記載の移動局。
【請求項３】
前記選択部は、受信したビームの中から少なくとも一つのビームを選択し、選択された少なくとも一つのビームを指示する情報を通知する通知部を含む請求項１又は請求項２に記載の移動局。
【請求項４】
前記通知部は、前記選択された少なくとも一つのビームを指示する情報を、ランクインジケーター（ＲＩ）、プリコーディングマトリクスインジケーター（ＰＭＩ）及びチャネル品質インジケーター（ＣＱＩ）の中の少なくとも一つと共に報告する請求項３に記載の移動局。
【請求項５】
前記受信部は、６４個の参照信号リソースにおける参照信号を受信することを特徴とする請求項１から請求項４のいずれかに記載の移動局。
【請求項６】
複数の参照信号リソースの中から第１の数量の参照信号リソースを選択する選択部と、
移動局が、前記第１の数量の参照信号リソースを指示する情報に基づいて、前記第１の数量の参照信号リソースにおける参照信号に対応するビームを受信するように、前記情報を前記移動局に送信する送信部と、を含む基地局。
【請求項７】
第１の数量の参照信号リソースを指示する情報を受信するステップと、
前記情報に基づいて、前記第１の数量の参照信号リソースにおける参照信号に対応するビームを受信するステップと、
受信したビームに基づいてチャネル推定を行うステップと、を含む方法。
【発明の詳細な説明】
【技術分野】
【０００１】
本発明は、マルチアンテナ技術に関し、具体的にはマルチアンテナ技術によるビーム選択方法、移動局及び基地局に関する。
【背景技術】
【０００２】
伝統的には、基地局は一次元アンテナを使用して移動局と通信する。近年、さらに基地局と移動局の間の信号伝送品質を向上し、無線通信システムのスループットをインクリメントするために、三次元ビームフォーミング技術が提案される。【０００３】
三次元ビームフォーミング技術において、基地局は二次元アンテナアレイを使用して移動局と通信する。一次元アンテナと比べて、二次元アンテナアレイは、水平次元でアンテナをセットし水平ビーム制御を行うだけでなく、垂直次元（高度方向）でアンテナをセットしビーム制御を行うことで、三次元ビームフォーミングを実現する。三次元ビームフォーミングによって、より大きいビームフォーミング利得を得ることができ、異なる位置（特に異なる高度位置）にある移動局によい信号伝送品質を取得させる。【０００４】
一方、基地局が移動局に下りリンクデータを送信する前に、チャネル推定を行う必要がある。具体的には、基地局は、移動局にプリコーディングによって生じるチャネル状態情報−参照信号（ＣＳＩ−ＲＳ）に対応するビームを送信し、移動局は、受信したビームに基づいてチャネル推定を行い、基地局が当該チャネル推定結果に基づいて下りリンクデータを送信するようにチャネル推定結果を基地局にフィードバックする。【０００５】
ところで、現在の３ｒｄ  Ｇｅｎｅｒａｔｉｏｎ  Ｐａｒｔｎｅｒｓｈｉｐ  Ｐｒｏｊｅｃｔ（３ＧＰＰ）技術標準において、各移動局のために配置できる非零パワーＣＳＩ−ＲＳリソース数量（即ちＣＳＩ−ＲＳリソース配置数量）及びチャネル状態情報プロセス（ＣＳＩプロセス（ＣＳＩ  ｐｒｏｃｅｓｓ））数量の最大値が制限される。例えば、各移動局のために配置できるチャネル推定のための非零パワーＣＳＩ−ＲＳリソース数量の最大値が３に制限され、各移動局のために配置できるチャネル推定のためのＣＳＩプロセス数量の最大値が４に制限される。ただし、各ＣＳＩプロセスは一つの非零パワーＣＳＩ−ＲＳリソースしか含まない。
【発明の概要】
【発明が解決しようとする課題】
【０００６】
二次元アンテナアレイのアンテナ数量のインクリメントに伴って、現在の３ＧＰＰ技術標準で規定された上記非零パワーＣＳＩ−ＲＳリソースとプロセス数量の最大値は、移動局がビーム選択を実行する要求を満足しなくなる。
【課題を解決するための手段】
【０００７】
本発明の一態様に係る移動局は、第１の数量の参照信号リソースを指示する情報を受信し、前記情報に基づいて、前記第１の数量の参照信号リソースにおける参照信号に対応するビームを受信する受信部と、受信したビームに基づいてチャネル推定を行う選択部と、を含む。【０００８】
本発明の一つの方面によれば、移動局で実行されるビーム選択方法であって、基地局から当該移動局のために配置できる第１の数量の参照信号リソースを指示する情報を受信するステップと、前記情報に基づいて、前記第１の数量の参照信号リソースにおける参照信号に対応するビームを受信するステップと、受信したビームの中から少なくとも一つのビームを選択するステップと、を含む。【０００９】
本発明のほかの一つの方面によれば、移動局であって、基地局から当該移動局のために配置できる第１の数量の参照信号リソースを指示する情報を受信し、前記情報に基づいて第１の数量の参照信号リソースにおける参照信号に対応するビームを受信するように構成される受信部と、受信したビームの中から少なくとも一つのビームを選択するように構成される選択部と、を含む。【００１０】
本発明のほかの一つの方面によれば、基地局であって、予め設置された複数の参照信号リソースの中から少なくとも一つの参照信号リソースを選択するように構成される選択部と、移動局が、選択された参照信号リソースを指示する情報に基づいて前記少なくとも一つの参照信号リソースにおける参照信号に対応するビームを受信するように、前記情報を移動局に送信するように構成される送信部と、を含む。
【発明の効果】
【００１１】
本発明の上記方面によるビーム選択方法、移動局及び基地局を利用して、移動局のために配置できる参照信号リソース（例えば非零パワーＣＳＩ−ＲＳリソース）をインクリメントできる。また、移動局が、選択された参照信号リソースにおける参照信号に対応するビームだけに基づいてチャネル推定とフィードバックを行うように、予め設置された参照信号リソースの中から一つ又は複数の参照信号リソースを選択することで、移動局のワークロードが低減できる。
【図面の簡単な説明】
【００１２】
図面を結合して本発明の実施例を詳細に記述することで、本発明の上記とほかの目的、特徴、利点はさらに明らかになる。【００１３】
【図１】本発明の実施例を適用できる無線通信システムを示す模式図である。
【図２】本発明の実施例に係る参照信号通知方法を示すフロー図である。
【図３】本発明の実施例に係るビーム選択方法を示すフロー図である。
【図４】本発明の実施例に係る基地局を示すブロック図である。
【図５】本発明の実施例に係る移動局を示すブロック図である。
【発明を実施するための形態】
【００１４】
以下、図面を参照して本発明の実施例に係るビーム選択方法、移動局及び基地局を記述する。図面において、同じ参照符号は常に同じ素子を表す。ここで記述する実施例は説明的なものだけであり、本発明の範囲を制限するものと解釈すべきではないことは明らかである。
【００１５】
まず、図１を参照して本発明の実施例を適用できる無線通信システムの模式図を記述する。
【００１６】
図１に示すように、当該無線通信システムは、少なくとも一つの基地局及び少なくとも一つの移動局を含む。基地局は上位装置（不図示）と接続でき、当該上位装置はコアネットワーク（不図示）と接続できる。基地局には二次元アンテナアレイが配備され、当該アンテナアレイによって移動局と通信する。移動局に下りリンクデータを送信する前に、基地局は、相応するプリコーディングベクトルを使用してプリコーディングを行うことで、異なる方向を有する参照信号のビーム（例として、図１において三つのビームを示す）を生じて、前記ビームをアンテナアレイにおけるアンテナによって移動局に送信する。
【００１７】
移動局は前記ビームを受信してチャネル推定を行い、チャネル推定結果に基づいて少なくとも一つのビームを選択し、また、基地局がフィードバックに基づいて下りリンクデータの送信を行うように選択されたビームを基地局にフィードバックする。注意すべき点としては、図１には一つの基地局及び一つの移動局しか示さないものの、より多い基地局及び移動局が存在できる。また、図１には三つの参照信号のビームしか示さないものの、ビームの数量を必要に応じてインクリメントかデクリメントする。認識すべき点としては、ここで前記の参照信号はＣＳＩ−ＲＳ、共通参照信号（ＣＲＳ）又は復調用参照信号（ＤＭＲＳ）であってもよく、若しくはプライマリ同期信号（ＰＳＳ）又はセカンダリ同期信号（ＳＳＳ）などの適当な信号で担当してもよい。以下、記述の便宜上、ＣＳＩ−ＲＳを参照信号とする例を使用して本発明の実施例を記述するが、これらの記述は同様にほかのタイプの参照信号に適する。
【００１８】
本発明の実施例において、現在の３ＧＰＰ技術標準で規定した各移動局のために配置できる非零パワーＣＳＩ−ＲＳリソース数量に対して、基地局で予め、移動局のために配置できるより多くのＣＳＩ−ＲＳリソースを設置できる。例えば、予め移動局のために配置できる６４個のＣＳＩ−ＲＳリソースを設置できる。また、必要に応じて、基地局で予め、移動局のために配置できるより多くのＣＳＩプロセスを設置してもよい。例えば、予め移動局のために配置できる６４個のＣＳＩプロセスを設置できる。
【００１９】
例として、伝送モード１０に対し、３ＧＰＰ技術標準ＴＳ  ３６．３３１  Ｖ１２．５．０で規定した、各キャリア周波数に対し移動局のために配置できるＣＳＩプロセスの最大数量を指示するパラメータ“ｍａｘＣＳＩ−Ｐｒｏｃ−ｒ１１”の値を４から６４に修正し、適応的にほかの仕様標準における内容を修正することで上記設置を実現する。各移動局のために配置できる非零パワーＣＳＩ−ＲＳリソース及び／又はＣＳＩプロセスをインクリメントすることによって、移動局はより多いビームを受信でき、空間解像度がより高いビーム選択を実現する。
【００２０】
認識すべき点としては、６４という数は説明的なものであって、制限的なものではなく、必要に応じて、予め移動局のために配置できるより多くの又はより少ないＣＳＩ−ＲＳリソース及び／又はＣＳＩプロセスを設置してもよい。
【００２１】
ところで、予め設置された移動局のために配置できるＣＳＩ−ＲＳリソース又はＣＳＩプロセスがインクリメントすることに伴い、予め設置されたＣＳＩ−ＲＳリソース及び／又はＣＳＩプロセス数量が大きい時、各移動局が、すべてのＣＳＩ−ＲＳリソースにおける参照信号又はＣＳＩプロセスに対応するビームを受信し、前記ビームに基づいてチャネル推定を行えば、移動局は大量の計算を行う必要があり、大量のビームのチャネル状態情報をレポートする必要があり、これは高い計算複雑度と大きいワークロードになってしまう。
【００２２】
そして、予め設置されたＣＳＩ−ＲＳリソース又はＣＳＩプロセス数量が大きい時、基地局が移動局に送信するチャネル推定をトリガするためのトリガ信号（ＣＳＩ要求ビット）のサイズが増加する可能性もあるので、シグナリングオーバーヘッドが増加する。一方、各ＣＳＩ−ＲＳリソースにおける参照信号又はＣＳＩプロセスに対応するビームは異なる方向を有し、ある位置にある移動局にとって、受信方向が自身の位置する箇所とずれが大きいビームは必要でない。
【００２３】
上記認識に基づいて、本発明の実施例において、基地局は、移動局が通知されたＣＳＩ−ＲＳリソースに対して相応する操作を実行するように、予め設置されたＣＳＩ−ＲＳリソースの中から一部のＣＳＩ−ＲＳリソースを選択して移動局に通知する。そして、必要に応じて、基地局は、移動局が通知されたＣＳＩプロセスに対して相応する操作を実行するように、予め設置されたＣＳＩプロセスの中から一部のＣＳＩプロセスを選択して移動局に通知する。
【００２４】
以下、図２を参照して本発明の実施例に係る参照信号通知方法を詳細に記述する。当該方法は基地局で実行してもよい。
【００２５】
図２に示すように、ステップＳ２０１において、基地局は、予め設置された複数のＣＳＩ−ＲＳリソース（記述の便宜上、以下Ｎ１個のＣＳＩ−ＲＳリソースと称し、Ｎ１は１よりも大きい自然数）の中から、少なくとも一つのＣＳＩ−ＲＳリソース（記述の便宜上、以下Ｎ２個のＣＳＩ−ＲＳリソースと称し、Ｎ２は自然数）を選択して、それが選択した当該移動局のために配置できるＣＳＩ−ＲＳリソースとする。
【００２６】
Ｎ２は必要に応じて柔軟にＮ１未満の任意の数量に特定される。例えば、Ｎ１が８よりも大きい場合、各送信時間インターバル（ＴＴＩ）に対し、移動局には８個以下のＣＳＩ−ＲＳリソースが配置され、即ち８個を超えるＣＳＩ−ＲＳリソースにおけるＣＳＩ−ＲＳに対応するビームを受信せずにチャネル推定を行うように、Ｎ２は８よりも大きくなくともよい。基地局は複数の方法を使用してＮ２個のＣＳＩ−ＲＳリソースを選択してもよい。
【００２７】
例えば、基地局は移動局が送信する上りリンク信号を受信し、当該上りリンク信号に基づいて大体に移動局の方位を特定し、予め設置されたＮ１個のＣＳＩ−ＲＳリソースの中から、プリコーディングによって生じるビームの方向が当該移動局の方位と近接するＮ２個のＣＳＩ−ＲＳリソースを選択する。当然、基地局はほかの方法を使用し又は任意に予め設置されたＮ１個のＣＳＩ−ＲＳリソースの中からＮ２個のＣＳＩ−ＲＳリソースを選択してもよい。
【００２８】
ある実現方式において、Ｎ１個のＣＳＩ−ＲＳリソースを複数の群に分け、各群は一つの群インデックスを有する。例えば、基地局と移動局に予めマッピングテーブルを記憶し、群インデックスを指定することで関連するＣＳＩ−ＲＳリソースを特定できるように当該マッピングテーブルに各群の群インデックスと当該群内のＣＳＩ−ＲＳリソースのインデックスの間のマッピング関係を記憶する。
【００２９】
このように、基地局はＣＳＩ−ＲＳリソースを選択し、選択したＣＳＩ−ＲＳリソースのインデックスが対応する群インデックスを特定することで、前記群インデックスを前記選択したＮ２個のＣＳＩ−ＲＳリソースを指示する情報とする。
【００３０】
ほかの実現方式において、基地局は直接Ｎ１個のＣＳＩ−ＲＳリソースの中からＮ２個のＣＳＩ−ＲＳリソースを選択する。この場合、前記選択したＮ２個のＣＳＩ−ＲＳリソースを指示する情報は選択したＮ２個のＣＳＩ−ＲＳリソースのインデックスであってもよい。
【００３１】
ＣＳＩ−ＲＳリソース以外に、基地局は予め設置された複数のＣＳＩプロセス（記述の便宜上、以下Ｎ３個のＣＳＩプロセスと称し、Ｎ３は１よりも大きい自然数）の中から、少なくとも一つのＣＳＩプロセス（記述の便宜上、以下Ｎ４個のＣＳＩプロセスと称し、Ｎ４は自然数）を選択して、当該移動局のために配置できるＣＳＩプロセスとする。Ｎ４は必要に応じて柔軟にＮ３未満のいずれの数量に特定される。例えば、Ｎ３が８よりも大きい場合、Ｎ４は８以下の値であってもよい。基地局は上記複数の方法を使用してＮ４個のＣＳＩプロセスを選択し、ここでは詳細に記述しない。
【００３２】
同様に、ＣＳＩプロセスを選択する時、Ｎ３個のＣＳＩプロセスを複数の群に分け、各群は一つの群インデックスを有する。例えば、基地局と移動局に予めマッピングテーブルを記憶し、群インデックスを指定することで関連するＣＳＩプロセスを特定するように当該マッピングテーブルに各群の群インデックスと当該群内のＣＳＩプロセスのインデックスの間のマッピング関係を記憶する。
【００３３】
このように、基地局はＣＳＩプロセスを選択し、選択したＣＳＩプロセスのインデックスが対応する群インデックスを特定することで、前記群インデックスを前記選択したＮ４個のＣＳＩプロセスを指示する情報とする。
【００３４】
基地局は直接Ｎ３個のＣＳＩプロセスの中からＮ４個のＣＳＩプロセスを選択してもよい。この場合、前記選択したＮ４個のＣＳＩプロセスを指示する情報は選択したＮ４個のＣＳＩプロセスのインデックスであってもよい。
【００３５】
続きに図２を参照し、ステップＳ２０２において、基地局は選択したＮ２個のＣＳＩ−ＲＳリソースを指示する情報（例えば前記群インデックス、若しくはＣＳＩ−ＲＳリソースのインデックス）を移動局に送信してもよい。
【００３６】
基地局は、選択したＮ２個のＣＳＩ−ＲＳリソースを指示する情報を、例えばセミスタティックシグナリングによって移動局に送信する。前記セミスタティックシグナリングは、例えば無線リソース制御（ＲＲＣ）シグナリングであってもよい。
【００３７】
基地局は、現在のＲＲＣシグナリングと異なる新たなＲＲＣシグナリングを使用して移動局に選択したＮ２個のＣＳＩ−ＲＳリソースを指示する情報を通知してもよい。この場合、基地局は前記情報を当該新たなＲＲＣシグナリングに含んで移動局に送信してもよい。
【００３８】
代わりに、基地局は現在のＲＲＣシグナリングを修正し、修正したＲＲＣシグナリングを使用して移動局に選択したＮ２個のＣＳＩ−ＲＳリソースを指示する情報を通知してもよい。例えば、基地局は、ＲＲＣシグナリング中の情報要素“ＣＳＩ−Ｐｒｏｃｅｓｓ”を一つの非零パワーＣＳＩ−ＲＳリソース（一つのビームに対応）だけをサポートするものからＮ２個の非零パワーＣＳＩ−ＲＳリソース（Ｎ２個のビームに対応）をサポートするものに変えるように、前記情報を含むように該情報要素を修正する。
【００３９】
若しくは、基地局は、ＲＲＣシグナリングにおける情報要素“ＣＳＩ−ＲＳ−Ｃｏｎｆｉｇ”を一つのビームのための一つの“ｃｓｉ−ＲＳ−ｒ１０”だけをサポートするものからＮ２個のビームのためのＮ２個の“ｃｓｉ−ＲＳ−ｒ１０”をサポートするものに変えるように、前記情報を含むように当該情報要素を修正する。
【００４０】
若しくは、基地局は、一つのビームの一つの値だけをサポートするものからＮ２個のビームのＮ２個の値をサポートするものに変えるように、前記情報を含むように情報要素“ＣＳＩ−ＲＳ−Ｃｏｎｆｉｇ”におけるパラメータ“ｃｓｉ−ＲＳ−ｒ１０”を修正する。当然、基地局は、情報要素“ＣＳＩ−Ｐｒｏｃｅｓｓ”、情報要素“ＣＳＩ−ＲＳ−Ｃｏｎｆｉｇ”及びパラメータ“ｃｓｉ−ＲＳ−ｒ１０”における二つ又は多数を、前記選択したＮ２個のＣＳＩ−ＲＳリソースを指示する情報を含むように修正する。
【００４１】
基地局がＮ３個のＣＳＩプロセスの中からＮ４個のＣＳＩプロセスを選択する場合、基地局は選択したＮ４個のＣＳＩプロセスを指示する情報を移動局に送信してもよい。この場合、基地局はＣＳＩ−ＲＳリソースと類似する方式で選択したＮ４個のＣＳＩプロセスを指示する情報を送信する。例えば、基地局はセミスタティックシグナリングによって前記情報を送信する。前記セミスタティックシグナリングは、例えば無線リソース制御（ＲＲＣ）シグナリングであってもよい。
【００４２】
基地局は現在のＲＲＣシグナリングと異なる新たなＲＲＣシグナリングを使用し又は現在のシグナリングを修正することで移動局に選択したＮ４個のＣＳＩプロセスを指示する情報を通知してもよい。
【００４３】
また、基地局は、前記選択したＮ２個のＣＳＩ−ＲＳリソースを指示する情報を送信するＲＲＣシグナリングと同じ又は異なるＲＲＣシグナリングを使用して、選択したＮ４個のＣＳＩプロセスを指示する情報を送信してもよい。
【００４４】
選択したＣＳＩ−ＲＳリソース及び／又はＣＳＩプロセスを指示する情報を送信する他、基地局はさらに対応するプリコーディングベクトルを利用してプリコーディングを行うことで、セル内の移動局のために配置できる各ＣＳＩ−ＲＳリソースにおけるＣＳＩ−ＲＳ又はＣＳＩプロセスに対応するビームを生成してもよい。各ビームは対応するビームインデックスを有する。この後、基地局はこれらのビームを二次元アンテナアレイによってセル内の移動局に送信してもよい。
【００４５】
以下、図３を参照して本発明の実施例に係るビーム選択方法を記述する。当該方法は移動局で実行できる。
【００４６】
図３に示すように、ステップＳ３０１において、移動局は基地局から当該移動局のために配置できるＮ２個のＣＳＩ−ＲＳリソースを指示する情報を受信する。
【００４７】
上述したように、基地局は予め設置されたＮ１個のＣＳＩ−ＲＳリソースの中から前記Ｎ２個のＣＳＩ−ＲＳリソースを選択して、当該移動局のために配置できるＮ２個のＣＳＩ−ＲＳリソースとする。この後、選択したＮ２個のＣＳＩ−ＲＳリソースを指示する情報を移動局に送信する。
【００４８】
基地局がＲＲＣシグナリングによって前記選択したＮ２個のＣＳＩ−ＲＳリソースを指示する情報を送信する場合、移動局は当該ＲＲＣシグナリングを受信することで前記情報を受信する。
【００４９】
また、基地局がＮ１個のＣＳＩ−ＲＳリソースを複数の群に分ける場合、前記Ｎ２個のＣＳＩ−ＲＳリソースが前記複数の群の中の少なくとも一つの群に属し、前記選択したＮ２個のＣＳＩ−ＲＳリソースを指示する情報が前記少なくとも一つの群の群インデックスである。
【００５０】
一方、基地局が直接Ｎ１個のＣＳＩ−ＲＳリソースの中から当該移動局のために配置できるＮ２個のＣＳＩ−ＲＳリソースを選択する場合、前記選択したＮ２個のＣＳＩ−ＲＳリソースを指示する情報は選択したＮ２個のＣＳＩ−ＲＳリソースのインデックスであってもよい。
【００５１】
ステップＳ３０２において、移動局は、基地局から受信された選択したＮ２個のＣＳＩ−ＲＳリソースを指示する情報に基づいて、前記Ｎ２個のＣＳＩ−ＲＳリソースにおける参照信号に対応するビームを受信する。具体的には、基地局が送信した前記Ｎ２個のＣＳＩ−ＲＳリソースを指示する情報を受信した後、移動局は、基地局が送信した、前記情報が指示したＮ２個のＣＳＩ−ＲＳリソースにおける参照信号に対応するビームを受信する。移動局が前記ビームを受信する具体方法は当該領域において既知であり、ここで簡単のためにその詳細記述を省略する。
【００５２】
選択的には、基地局が予め設置されたＮ３個のＣＳＩプロセスの中からＮ４個のＣＳＩプロセスを選択し、選択したＮ４個のＣＳＩプロセスを指示する情報を移動局に送信する場合、ステップＳ３０１において、移動局は、前記選択したＮ４個のＣＳＩプロセスを指示する情報を受信してもよい。相応的に、ステップＳ３０２において、選択したＮ４個のＣＳＩプロセスに対応するビーム（即ち、前記Ｎ２個のＣＳＩ−ＲＳリソースにおける参照信号に対応するビーム）を受信してもよい。
【００５３】
ステップＳ３０３において、移動局は受信したビームの中から少なくとも一つのビームを選択する。選択したビームの数量は移動局で自ら決定してもよく、基地局で設定してもよい。また、移動局又は基地局は複数の方式によって選択したビームの数量を特定する。例として、基地局が移動局に送信するストリーム数によって選択したビームの数量を特定する。例えば、送信するストリーム数が１であれば、一つのビームを選択してもよく、送信するストリーム数が２であれば、二つのビームを選択してもよい。
【００５４】
本発明の実施例において、移動局は、受信したビームに対応するチャネル品質、データスループット又は受信パワーに関連する条件によって、受信したビームの中から少なくとも一つのビームを選択してもよい。具体的には、移動局は受信した各ビームに基づいてチャネル推定を行うことで、各ビームが対応するチャネルのチャネル品質を特定する。当該チャネル品質は、例えばチャネル品質インジケーター（ＣＱＩ）などで示す。また、移動局は各ビームに対して対応するランクインジケーター（ＲＩ）、プリコーディングマトリクスインジケーター（ＰＭＩ）などを特定する。移動局は各ビームに基づいてチャネル推定を行いＣＱＩ、ＲＩ及び／又はＰＭＩを特定する方法は当該領域において既知であり、ここで簡単のためにその詳細記述を省略する。
【００５５】
受信したビームに対応するチャネル品質に関連する条件に基づいて前記少なくとも一つのビームを選択する場合、移動局は受信したビームの中からチャネル品質がよい一つ又は複数のビームを選択する。例えば、移動局はチャネル品質がよい順に、少なくとも一つのビームを選択してもよい。
【００５６】
受信したビームに対応するデータスループットに関連する条件に基づいてビームを選択する場合、移動局は、特定した各ビームが対応するＣＱＩによって、当該ビームに対応するプリコーディングベクトルを使用してデータを送信する時取得できる予想データスループットを推定する。この後、受信したビームの中から予想データスループットが大きい一つ又は複数のビームを選択する。例えば、移動局は予想データスループットが大きい順に、少なくとも一つのビームを選択する。
【００５７】
受信したビームに対応する受信パワーに関連する条件に基づいてビームを選択する場合、移動局は、受信したビームの中から受信パワーが大きい一つ又は複数のビームを選択する。例えば、移動局は受信パワーが大きい順に、少なくとも一つのビームを選択する。認識すべき点としては、上記条件以外、移動局はほかの条件に基づいて前記少なくとも一つのビームを選択してもよい。
【００５８】
ビームを選択した後、移動局は、選択したビームを指示する情報を基地局にフィードバックしてもよい。前記情報は選択したビームのビームインデックス（Ｂｅａｍ  Ｉｎｄｅｘ、ＢＩ）であってもよい。
【００５９】
本発明の実施例において、移動局は必要に応じていずれかの適当の方式を選択し前記ビームインデックスをフィードバックする。基地局で具体的なフィードバック方式を設定できる。
【００６０】
例えば、移動局は周期的に又は非周期的に前記ビームインデックスをフィードバックできる。また、移動局は長い時間インターバルで及び／又は広い周波数帯について前記ビームインデックスをフィードバックする。移動局はＲＩと同じタイミング又は周波数で前記ビームインデックスをフィードバックする。移動局は３ＧＰＰ  Ｒｅｌ．１０及びＲｅ．１２で規定した二次元コードブックＷにおける第１のレイヤのコードブックＷ１と同じタイミング又は周波数で前記ビームインデックスをフィードバックする。
【００６１】
移動局が非周期的なフィードバックを行うように構成される場合、移動局はビームインデックスをＲＩ、ＰＭＩ及びＣＱＩの中の少なくとも一つと共にフィードバックする。移動局が周期的なフィードバックを行うように構成される場合、前記ビームインデックスのフィードバック周期はＲＩ、ＰＭＩ及び／又はＣＱＩのフィードバック周期と同じ又は異なる。
【００６２】
移動局がフィードバックしたビームインデックスを受信した後、基地局は、当該ビームインデックスに対応するＣＳＩ−ＲＳ又はＣＳＩプロセスを特定し、さらに当該移動局に送信するのに適するデータのプリコーディングベクトルを特定する。この後、基地局は当該プリコーディングベクトルを使用して当該移動局に送信するデータをプリコーディングして送信する。
【００６３】
上記から分かるように、本発明の実施例において、各移動局が受信できるＣＳＩ−ＲＳリソース及び／又はＣＳＩプロセスの数量をインクリメントすることで、チャネル推定の空間解像度を向上する。
【００６４】
また、基地局は、移動局が選択したＣＳＩ−ＲＳリソースにおける参照信号及び／又はＣＳＩプロセスに対応するビームだけに基づいてチャネルエンコードとフィードバックを行うように、移動局のため予め設置された複数のＣＳＩ−ＲＳリソース及び／又はＣＳＩプロセスの中から当該移動局に比較的に適するＣＳＩ−ＲＳリソース及び／又はＣＳＩプロセスを選択し、移動局に通知することで、基地局が移動局に送信するＣＳＩ要求ビットの数量増加を回避しながら、移動局がチャネル推定とフィードバックを行うワークロードを減少する。
【００６５】
以下、図４を参照して本発明の実施例に係る基地局を記述する。
【００６６】
図４は本発明の実施例に係る基地局のブロック図を示す。図４のように、基地局４００は選択部４０１及び送信部４０２を含む。この二つの部以外、基地局４００はほかの部、例えばデータ信号又は制御信号に対して各種の処理を行う部を含めてもよいが、これらの部は本発明の実施例の内容と無関係であるので、ここでその図示と記述を省略する。また、本発明の実施例に係る基地局４００が実行する下記操作の具体的な詳細は、図２を参照して上述した詳細と同じであるので、ここで重複を回避するために同じ詳細に対する重複記述を省略する。
【００６７】
選択部４０１は予め設置されたＮ１個のＣＳＩ−ＲＳリソースの中から、Ｎ２個のＣＳＩ−ＲＳリソースを選択して、当該移動局のために配置できるＣＳＩ−ＲＳリソースとする。Ｎ２は必要に応じて柔軟にＮ１未満の任意の数量に特定される。選択部４０１は上記複数の方法を使用して前記Ｎ２個のＣＳＩ−ＲＳリソースを選択する。
【００６８】
ある実現方式において、Ｎ１個のＣＳＩ−ＲＳリソースを複数の群に分け、各群は一つの群インデックスを有する。例えば、基地局と移動局に予めマッピングテーブルを記憶し、群インデックスを指定することで関連するＣＳＩ−ＲＳリソースを特定するように当該マッピングテーブルに各群の群インデックスと当該群内のＣＳＩ−ＲＳリソースのインデックスの間のマッピング関係を記憶する。このように、選択部４０１はＣＳＩ−ＲＳリソースを選択し、選択したＣＳＩ−ＲＳリソースのインデックスが対応する群インデックスを特定することで、前記群インデックスを前記選択したＮ２個のＣＳＩ−ＲＳリソースを指示する情報とする。
【００６９】
ほかの実現方式において、選択部４０１は直接Ｎ１個のＣＳＩ−ＲＳリソースの中からＮ２個のＣＳＩ−ＲＳリソースを選択する。この場合、前記選択したＮ２個のＣＳＩ−ＲＳリソースを指示する情報は選択したＮ２個のＣＳＩ−ＲＳリソースのインデックスであってもよい。
【００７０】
選択的には、選択部４０１は予め設置されたＮ３個のＣＳＩプロセスの中から、Ｎ４個のＣＳＩプロセスを選択して、当該移動局のために配置できるＣＳＩプロセスとする。Ｎ４は必要に応じて柔軟にＮ３未満のいずれの数量に特定される。選択部４０１は上記複数の方法を使用してＮ４個のＣＳＩプロセスを選択してもよく、ここでは説明しない。
【００７１】
同様に、ＣＳＩプロセスを選択する時、Ｎ３個のＣＳＩプロセスを複数の群に分け、各群は一つの群インデックスを有する。例えば、基地局と移動局に予めマッピングテーブルを記憶し、群インデックスを指定することで関連するＣＳＩプロセスを特定するように当該マッピングテーブルに各群の群インデックスと当該群内のＣＳＩプロセスのインデックスの間のマッピング関係を記憶する。このように、選択部４０１はＣＳＩプロセスを選択し、選択したＣＳＩプロセスのインデックスが対応する群インデックスを特定することで、前記群インデックスを前記選択したＮ４個のＣＳＩプロセスを指示する情報とする。
【００７２】
選択部４０１は直接Ｎ３個のＣＳＩプロセスの中からＮ４個のＣＳＩプロセスを選択してもよい。この場合、前記選択したＮ４個のＣＳＩプロセスを指示する情報は選択したＮ４個のＣＳＩプロセスのインデックスであってもよい。
【００７３】
送信部４０２は選択したＮ２個のＣＳＩ−ＲＳリソースを指示する情報（例えば前記群インデックス、又はＣＳＩ−ＲＳリソースのインデックス）を移動局に送信する。
【００７４】
上述したように、送信部４０２は例えばセミスタティックシグナリングによって選択したＮ２個のＣＳＩ−ＲＳリソースを指示する情報を移動局に送信する。前記セミスタティックシグナリングは例えばＲＲＣシグナリングであってもよい。
【００７５】
送信部４０２は現在のＲＲＣシグナリングと異なる新たなＲＲＣシグナリングを使用して移動局に選択したＮ２個のＣＳＩ−ＲＳリソースを指示する情報を通知してもよい。この場合、送信部４０２は前記情報を当該新たなＲＲＣシグナリングに含んで移動局に送信してもよい。代わりに、送信部４０２は現在のＲＲＣシグナリングを修正し、修正したＲＲＣシグナリングを使用して移動局に選択したＮ２個のＣＳＩ−ＲＳリソースを指示する情報を通知してもよい。例えば、送信部４０２は上記方式に従って現在のＲＲＣシグナリングを修正し、それを移動局に送信してもよい。
【００７６】
選択部４０１がＮ３個のＣＳＩプロセスの中からＮ４個のＣＳＩプロセスを選択する場合、送信部４０２は選択したＮ４個のＣＳＩプロセスを指示する情報を移動局に送信してもよい。この場合、送信部４０２は上記方式に従って選択したＮ４個のＣＳＩプロセスを指示する情報を送信してもよく、ここでは説明しない。
【００７７】
選択したＣＳＩ−ＲＳリソース及び／又はＣＳＩプロセスを指示する情報を送信する以外、送信部４０２はセル内の移動局のために配置できる各ＣＳＩ−ＲＳリソースにおけるＣＳＩ−ＲＳ又はＣＳＩプロセスに対応するビームを生じるように、対応するプリコーディングベクトルを利用してプリコーディングを行う。各ビームは対応するビームインデックスを有する。この後、送信部４０２はこれらのビームを二次元アンテナアレイによってセル内の移動局に送信する。
【００７８】
以下、図５を参照して本発明の実施例に係る移動局を記述する。
【００７９】
図５は本発明の実施例に係る移動局のブロック図を示す。図５に示すように、本発明の実施例に係る移動局５００は受信部５０１、選択部５０２及び通知部５０３を含める。この三つの部以外、移動局５００はほかの部、例えば受信したデータ信号又は制御信号に対して各種の処理を行う部を含めてもよいが、これらの部は本発明の実施例の内容と無関係であるので、ここでその図示と記述を省略する。また、本発明の実施例に係る移動局５００が実行する下記操作の具体的な詳細は、図３を参照して上述した詳細と同じであるので、ここで重複を回避するために同じ詳細の重複記述を省略する。
【００８０】
受信部５０１は基地局から当該移動局のために配置できるＮ２個のＣＳＩ−ＲＳリソースを指示する情報を受信してもよい。
【００８１】
上述したように、基地局は予め設置されたＮ１個のＣＳＩ−ＲＳリソースの中から前記Ｎ２個のＣＳＩ−ＲＳリソースを選択して、当該移動局のために配置できるＮ２個のＣＳＩ−ＲＳリソースとする。この後、選択したＮ２個のＣＳＩ−ＲＳリソースを指示する情報を移動局に送信する。
【００８２】
基地局がＲＲＣシグナリングによって前記選択したＮ２個のＣＳＩ−ＲＳリソースを指示する情報を送信する場合、受信部５０１は当該ＲＲＣシグナリングを受信することで前記情報を受信する。また、基地局がＮ１個のＣＳＩ−ＲＳリソースを複数の群に分ける場合、前記Ｎ２個のＣＳＩ−ＲＳリソースは前記複数の群における少なくとも一つの群に属し、前記選択したＮ２個のＣＳＩ−ＲＳリソースを指示する情報は前記少なくとも一つの群の群インデックスである。
【００８３】
一方、基地局が直接Ｎ１個のＣＳＩ−ＲＳリソースの中から当該移動局のために配置できるＮ２個のＣＳＩ−ＲＳリソースを選択する場合、前記選択したＮ２個のＣＳＩ−ＲＳリソースを指示する情報は選択したＮ２個のＣＳＩ−ＲＳリソースのインデックスであってもよい。
【００８４】
選択したＣＳＩ−ＲＳリソースを指示する情報を受信した後、受信部５０１は前記情報に基づいて、前記Ｎ２個のＣＳＩ−ＲＳリソースにおける参照信号に対応するビームを受信する。また、基地局が選択したＮ４個のＣＳＩプロセスを指示する情報を移動局に送信する場合、受信部５０１はさらに前記選択したＮ４個のＣＳＩプロセスを指示する情報を受信する。相応的に、受信部５０１は選択したＮ４個のＣＳＩプロセスに対応するビーム（即ち、前記Ｎ２個のＣＳＩ−ＲＳリソースにおけるＣＳＩ−ＲＳに対応するビーム）を受信する。
【００８５】
選択部５０２は受信部５０１が受信したビームの中から少なくとも一つのビームを選択する。上述したように、選択したビームの数量は移動局で自ら決定してもよく、基地局で設定してもよい。また、移動局又は基地局は複数の方式（例えば基地局が移動局に送信するストリーム数）によって選択したビームの数量を特定する。
【００８６】
また、選択部５０２は自身又はチャネル推定部（不図示）により、受信したビームに対応するチャネル品質、データスループット又は受信パワーに関連する条件によって、受信したビームの中から少なくとも一つのビームを選択する。
【００８７】
具体的には、選択部５０２は自身又はチャネル推定部（不図示）により、受信した各ビームに基づいてチャネル推定を行うことで、各ビームが対応するチャネルのチャネル品質を特定する。当該チャネル品質は例えばＣＱＩなどで表すことができる。また、選択部５０２は自身又はチャネル推定部（不図示）により、各ビームに対して対応するランクインジケーター（ＲＩ）、プリコーディングマトリクスインジケーター（ＰＭＩ）などを特定する。
【００８８】
受信したビームに対応するチャネル品質に関連する条件に基づいて前記少なくとも一つのビームを選択する場合、選択部５０２は受信したビームの中からチャネル品質がよい一つ又は複数のビームを選択する。
【００８９】
受信したビームに対応するデータスループットに関連する条件に基づいてビームを選択する場合、選択部５０２は特定した各ビームが対応するＣＱＩによって、当該ビームが対応するプリコーディングベクトルを使用してデータを送信する時取得できる予想データスループットを推定する。この後、受信したビームの中から予想データスループットが大きい一つ又は複数のビームを選択する。
【００９０】
受信したビームに対応する受信パワーに関連する条件に基づいてビームを選択する場合、選択部５０２は受信したビームの中から受信パワーが大きい一つ又は複数のビームを選択する。上記条件以外、選択部５０２はほかの条件に基づいて前記少なくとも一つのビームを選択してもよい。
【００９１】
通知部５０３は、選択部５０２が選択したビームを指示する情報を基地局に通知（又はフィードバック）する。前記情報は選択したビームのビームインデックス（ＢＩ）であってもよい。上述したように、通知部５０３は必要に応じていずれかの適当の方式を選択して前記ビームインデックスをフィードバックし、基地局で具体的なフィードバック方式を設定できる。例えば、通知部５０３は周期的に又は非周期的に前記ビームインデックスをフィードバックする。
【００９２】
また、通知部５０３は長い時間インターバルで及び／又は広い周波数帯について前記ビームインデックスをフィードバックする。通知部５０３はＲＩと同じタイミング又は周波数で前記ビームインデックスをフィードバックする。通知部５０３は３ＧＰＰ  Ｒｅｌ．１０及びＲｅｌ．１２で規定する二次元コードブックＷにおける第１のレイヤコードブックＷ１と同じタイミング又は周波数で前記ビームインデックスをフィードバックする。
【００９３】
移動局が非周期的なフィードバックを行うように構成される場合、通知部５０３はビームインデックスをＲＩ、ＰＭＩ及びＣＱＩの中の少なくとも一つと共にフィードバックする。移動局が周期的なフィードバックを行うように構成される場合、前記ビームインデックスのフィードバック周期はＲＩ、ＰＭＩ及び／又はＣＱＩのフィードバック周期と同じ又は異なる。
【００９４】
通知部５０３がフィードバックしたビームインデックスを受信した後、基地局は当該ビームインデックスが対応するＣＳＩ−ＲＳを特定し、さらに当該移動局に送信するのに適するデータのプリコーディングベクトルを特定する。この後、基地局は当該プリコーディングベクトルを使用して当該移動局に送信するデータをプリコーディングして送信する。
【００９５】
上記から分かるように、本発明の実施例に係る移動局において、各移動局のため予め多数のＣＳＩ−ＲＳリソース及び／又はＣＳＩプロセスを設置するものの、基地局からその選択したＣＳＩ−ＲＳリソース及び／又はＣＳＩプロセスを指示する情報を受信することで、移動局は当該移動局に適するＣＳＩ−ＲＳリソース及び／又はＣＳＩプロセスに対応するビームを受信してチャネル推定とフィードバックを行うことで、移動局のワークロードを減少する。
【００９６】
以上、二次元アンテナアレイに基づいて本発明の各実施例を記述した。ところで、認識すべき点としては、これは例示的なものだけであり、説明的なものではない。二次元アンテナアレイ以外、本発明の上記実施例はほかのタイプのアンテナ、例えば一次元アンテナ（例えば垂直次元で複数のアンテナポートが設置されたアンテナ）及び三次元アンテナ（例えば円筒形アンテナ又は立方体アンテナ）などにも適用できる。また、ＣＳＩプロセスに基づいて本発明の各実施例を上述したが、認識すべき点としては、当該ＣＳＩプロセスが参照信号プロセスの一つの例だけであり、本発明の実施例はほかのタイプの参照信号プロセスにも適用できる。
【００９７】
本発明の例示実施例を示し記述したものの、当業者にとって、請求項及びその等価物に限定された本発明の範囲と精神を逸脱しない場合、これらの例示実施例を各種の形式と詳細での変化を行うことができることは明らかである。
【００９８】
本出願は、２０１５年４月９日出願の中国特許出願第２０１５１０１６６０９５．９号に基づく。この内容は、全てここに含めておく。
【図１】
2016163542.tif 000003
【図２】
2016163542.tif 000004
【図３】
2016163542.tif 000005
【図４】
2016163542.tif 000006
【図５】
2016163542.tif 000007
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
第１の数量の参照信号リソースを指示する情報を受信し、前記情報に基づいて、前記第１の数量の参照信号リソースにおける参照信号に対応するビームを受信する受信部と、
受信したビームに基づいてチャネル推定を行う選択部と、を含み、
前記選択部は、受信したビームの中から少なくとも一つのビームを選択し、選択された少なくとも一つのビームを指示する情報を通知する通知部を含む移動局。
【請求項２】
前記情報は、前記第１の数量の参照信号リソースのインデックスである請求項１に記載の移動局。
【請求項３】
前記通知部は、前記選択された少なくとも一つのビームを指示する情報を、ランクインジケーター（ＲＩ）、プリコーディングマトリクスインジケーター（ＰＭＩ）及びチャネル品質インジケーター（ＣＱＩ）の中の少なくとも一つと共に報告する請求項１又は２に記載の移動局。
【請求項４】
前記受信部は、６４個の参照信号リソースにおける参照信号を受信することを特徴とする請求項１から請求項３のいずれかに記載の移動局。
【請求項５】
複数の参照信号リソースの中から第１の数量の参照信号リソースを選択する選択部と、
移動局が、前記第１の数量の参照信号リソースを指示する情報に基づいて、前記第１の数量の参照信号リソースにおける参照信号に対応するビームを受信するように、前記情報を前記移動局に送信する送信部と、
前記移動局が選択した少なくとも一つのビームを指示する情報を受信する受信部と、を含む基地局。
【請求項６】
第１の数量の参照信号リソースを指示する情報を受信するステップと、
前記情報に基づいて、前記第１の数量の参照信号リソースにおける参照信号に対応するビームを受信するステップと、
受信したビームに基づいてチャネル推定を行うステップと、
受信したビームの中から少なくとも一つのビームを選択し、選択された少なくとも一つのビームを指示する情報を通知するステップと、を含むビーム選択方法。
【国際調査報告】
2016163542.tif 000008
2016163542.tif 000009
2016163542.tif 000010
2016163542.tif 000011